(57)【要約】【課題】電源モジュールの故障検出の容易化を図ることが可能な光電池装置を提供する。【解決手段】入力された光に基づいて光起電力を生じさせ、状態を示す状態情報を電源線に印加させる、グランド線と電源線との間にそれぞれ接続された複数の電源部と、電源線にカソードが接続され、アノードが対応する電源部にそれぞれ接続される複数の逆流防止ダイオードと、対応する逆流防止ダイオードのアノード−カソード間の電圧を検出し、検出結果に基づく検出情報を電源線へ印加させる、複数の検出情報送信部とを備え、検出情報送信部は、逆流防止ダイオードのアノード−カソード間の電圧を検出する電圧検出部と、他の電源部と電源線との間に接続され、電圧検出部の検出結果に基づく検出情報を電源線へ印加させる第１通信部と、検出情報を第１通信部に送信させる第１通信制御部とを備える光電池装置が提供される。【選択図】図５
2010182836.tif 000002
【特許請求の範囲】
【請求項１】
入力された光に基づいて光起電力を生じさせ、状態を示す状態情報を電源線に印加させる、グランド線と前記電源線との間にそれぞれ接続された複数の電源部と；
前記電源線にカソードが接続され、アノードが対応する前記電源部にそれぞれ接続される複数の逆流防止ダイオードと；
対応する前記逆流防止ダイオードのアノード−カソード間の電圧を検出し、検出結果に基づく検出情報を前記電源線へ印加させる、複数の検出情報送信部と；
を備え、
前記検出情報送信部は、
前記逆流防止ダイオードのアノード−カソード間の電圧を検出する電圧検出部と；
他の電源部と前記電源線との間に接続され、前記電圧検出部の検出結果に基づく検出情報を前記電源線へ印加させる第１通信部と；
前記検出情報を前記第１通信部に送信させる第１通信制御部と；
を備える、光電池装置。
【請求項２】
前記電源線から印加される直流電源を所定の電源に変換し、前記状態情報、および／または前記検出情報を前記電源線を介して受信するインバータをさらに備え、
前記検出情報送信部は、対応する前記逆流防止ダイオードのアノードと前記電源部との間に接続され、前記第１通信部が受信した前記インバータから送信される情報を前記電源部へ送信するための第２通信部をさらに備える、請求項１に記載の光電池装置。
【請求項３】
前記第１通信部は、トランスで構成され、
前記トランスの１次コイルは、前記第１通信制御部と接続され、
前記トランスの２次コイルは、前記電源線と他の逆流防止ダイオードのカソードとの間に接続される、または、前記他の逆流防止ダイオードのアノードと前記他の電源部との間に接続される、請求項１、または請求項２に記載の光電池装置。
【請求項４】
前記電源部は、１または２以上の電源モジュールを備え、
前記電源モジュールは、
入力された光に基づいて光起電力を生じさせるセルが、直列および／または並列に接続された光電池モジュールと；
前記光電池モジュールの前記グランド線側の第１端子にアノードが接続され、前記光電池モジュールの前記電源線側の第２端子にカソードが接続されるバイパスダイオードと；
前記電源モジュールの状態を検出し、検出結果に応じた前記状態情報を出力する状態検出部と；
前記状態情報を前記電源線に印加させる第３通信部と；
前記状態検出部が出力した前記状態情報を前記第３通信部に送信させる第２通信制御部と；
を備える、請求項１、または請求項２に記載の光電池装置。
【請求項５】
前記第３通信部は、トランスで構成され、
前記トランスの１次コイルは、前記第２通信制御部と接続され、
前記トランスの２次コイルは、前記第２端子よりも前記電源線側に接続される、または、前記第１端子よりも前記グランド線側に接続される、請求項４に記載の光電池装置。
【発明の詳細な説明】
【技術分野】
【０００１】
本発明は、光電池装置に関する。
【背景技術】
【０００２】
近年、化石燃料の枯渇の問題や、化石燃料への依存が地球環境に影響を及ぼしうる問題などの解決を図りつつ電力を得るために、光電池装置の重要性が増している。ここで、光電池装置は、光起電力効果を利用することによって、入力される光を直接的に電力に変換することが可能な装置であり、化石燃料を用いる場合と比較してよりクリーンな電力を得ることができる。
【０００３】
光電池装置は、例えば、入力された光に基づいて光起電力を生じさせる光電池モジュールを有する電源モジュールで構成された電源部を、グランド線と電源線との間に並列に複数備えることによって、所定の電力を得る。ここで、各電源部は、より大きな電力を生じさせるために、例えば複数の電源モジュールが直列に複数接続された構成を有する。電源部の上記構成は、直列体とよばれる。また、光電池モジュールは、例えば、入力された光に基づいて光起電力を生じさせる複数のセルが直列および／または並列に接続されて構成される。また、光電池装置は、各電源部と電源線との間それぞれに、電源線から電源部への電流の逆流を防止するために、逆流防止ダイオードを備える。
【０００４】
光電池装置の電源部を構成する電源モジュールが故障した場合、例えば得られる電力の低下によって、故障が生じたことは比較的容易に分かる。しかしながら、光電池装置においてどの電源モジュールが故障したのかを検出するためには、例えば、各電源モジュールにおける開放電圧や短絡電流などを測定する必要があるため、検出は容易ではなかった。上記は、光電池装置を構成する電源部は、太陽光などに基づいて光起電力を生じさせるために、例えば屋根などに設置されるため、上記測定の結果を得ること自体が困難な場合があるからである。
【０００５】
このような中、光電池装置において電源モジュールの故障検出の容易化を図る技術が開発されている。逆流防止用のダイオードのアノード−カソード間の電圧を検出し、検出結果に応じて選択的に発振ノイズをケーブルに印加することよって、電源モジュールの故障を通知する技術としては、例えば、特許文献１が挙げられる。
【先行技術文献】
【特許文献】
【０００６】
【特許文献１】特開２００１−６８７０６号公報
【発明の概要】
【発明が解決しようとする課題】
【０００７】
光電池装置において電源モジュールの故障検出をより容易とするための従来の技術（以下、単に「従来の技術」とよぶ場合がある。）は、各電源部に接続された逆流防止ダイオードの電圧が０（ゼロ）などになった場合に選択的に発振ノイズをケーブルに印加する。よって、従来の技術を用いることによって、光電池装置を構成するいずれかの電源部に故障が生じたか否かをより容易に検出できる可能性はある。
【０００８】
しかしながら、従来の技術は、逆流防止ダイオードの電圧を検出し、検出結果が所定の条件を満たした場合に他の電源部から得た電力を用いて所定周波数の発振ノイズをケーブルに印加しているに過ぎない。つまり、従来の技術が適用された光電池装置（以下、単に「従来の光電池装置」とよぶ場合がある。）における発振ノイズに基づく検出は、どの電源部が故障したのかを検出しているに過ぎない。ここで、光電池装置における各電源部は、１つの電源モジュールを有する構成に限られず、より大きな電力を生じさせるために、例えば複数の電源モジュールが直列に複数接続された構成（直列体）を有する場合がある。よって、光電池装置における各電源部が複数の電源モジュールを有する場合には、従来の技術を用いたとしても、どの電源モジュールが故障したのかを検出することはできない。
【０００９】
また、各電源部を構成する電源モジュールは、それぞれが高価であるため、故障が生じた場合には、電源モジュールごとに交換等を行いたいというニーズがある。しかしながら、従来の光電池装置は、上記のようにどの電源モジュールが故障したのかを検出することはできないので、上記ニーズを満たすためには、故障した電源モジュールを特定するための他の手段（例えば、開放電圧や短絡電流などの測定。）が別途必要となる。
【００１０】
したがって、従来の技術を用いたとしても、電源モジュールの故障検出をより容易とすることは、望むべくもない。
【００１１】
本発明は、上記問題に鑑みてなされたものであり、本発明の目的とするところは、電源モジュールの故障検出の容易化を図ることが可能な、新規かつ改良された光電池装置を提供することにある。
【課題を解決するための手段】
【００１２】
上記目的を達成するために、本発明の第１の観点によれば、入力された光に基づいて光起電力を生じさせ、状態を示す状態情報を電源線に印加させる、グランド線と上記電源線との間にそれぞれ接続された複数の電源部と、上記電源線にカソードが接続され、アノードが対応する上記電源部にそれぞれ接続される複数の逆流防止ダイオードと、対応する上記逆流防止ダイオードのアノード−カソード間の電圧を検出し、検出結果に基づく検出情報を上記電源線へ印加させる、複数の検出情報送信部とを備え、上記検出情報送信部は、上記逆流防止ダイオードのアノード−カソード間の電圧を検出する電圧検出部と、他の電源部と上記電源線との間に接続され、上記電圧検出部の検出結果に基づく検出情報を上記電源線へ印加させる第１通信部と、上記検出情報を上記第１通信部に送信させる第１通信制御部とを備える光電池装置が提供される。
【００１３】
かかる構成により、電源モジュールの故障検出の容易化を図ることができる。
【００１４】
また、上記電源線から印加される直流電源を所定の電源に変換し、上記状態情報、および／または上記検出情報を上記電源線を介して受信するインバータをさらに備え、上記検出情報送信部は、対応する上記逆流防止ダイオードのアノードと上記電源部との間に接続され、上記第１通信部が受信した上記インバータから送信される情報を上記電源部へ送信するための第２通信部をさらに備えてもよい。
【００１５】
また、上記第１通信部は、トランスで構成され、上記トランスの１次コイルは、上記第１通信制御部と接続され、上記トランスの２次コイルは、上記電源線と他の逆流防止ダイオードのカソードとの間に接続される、または、上記他の逆流防止ダイオードのアノードと上記他の電源部との間に接続されてもよい。
【００１６】
また、上記電源部は、１または２以上の電源モジュールを備え、上記電源モジュールは、入力された光に基づいて光起電力を生じさせるセルが、直列および／または並列に接続された光電池モジュールと、上記光電池モジュールの上記グランド線側の第１端子にアノードが接続され、上記光電池モジュールの上記電源線側の第２端子にカソードが接続されるバイパスダイオードと、上記電源モジュールの状態を検出し、検出結果に応じた上記状態情報を出力する状態検出部と、上記状態情報を上記電源線に印加させる第３通信部と、上記状態検出部が出力した上記状態情報を上記第３通信部に送信させる第２通信制御部とを備えてもよい。
【００１７】
また、上記第３通信部は、トランスで構成され、上記トランスの１次コイルは、上記第２通信制御部と接続され、上記トランスの２次コイルは、上記第２端子よりも上記電源線側に接続される、または、上記第１端子よりも上記グランド線側に接続されてもよい。
【発明の効果】
【００１８】
本発明によれば、電源モジュールの故障検出の容易化を図ることができる。
【図面の簡単な説明】
【００１９】
【図１】逆流防止ダイオードを備える光電池装置において起こりうる問題を説明するための第１の説明図である。
【図２】電源モジュールが有する光電池モジュールを構成するセルの特性の一例を示す説明図である。
【図３】逆流防止ダイオードの特性の一例を示す説明図である。
【図４】逆流防止ダイオードを備える光電池装置において起こりうる問題を説明するための第２の説明図である。
【図５】本発明の第１の実施形態に係る光電池装置の構成の一例を示す説明図である。
【図６】本発明の第１の実施形態に係る電源モジュールの構成の一例を示す説明図である。
【図７】本発明の第１の実施形態に係る電源モジュールが備える第２通信制御部の構成の一例を示す説明図である。
【図８】本発明の第１の実施形態に係る第１通信制御部の第１の構成例を示す説明図である。
【図９】本発明の第１の実施形態に係る第１通信制御部の第２の構成例を示す説明図である。
【図１０】本発明の第２の実施形態に係る光電池装置の構成の一例を示す説明図である。
【図１１】本発明の第２の実施形態に係る電源モジュールの構成の一例を示す説明図である。
【図１２】本発明の第２の実施形態に係る電源モジュールが備える第２通信制御部の構成の一例を示す説明図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
また、以下では、下記に示す順序で説明を行う。
１．本発明の実施形態に係るアプローチ
２．本発明の第１の実施形態に係る光電池装置
３．本発明の第２の実施形態に係る光電池装置
【００２２】
（本発明の実施形態に係るアプローチ）
本発明の第１、第２の実施形態に係る光電池装置（以下、総称して「光電池装置１０００」とよぶ場合がある。）について説明する前に、本発明の実施形態に係る故障検出アプローチについて説明する。なお、以下では、本発明の実施形態を光電池装置として説明するが、本発明の実施形態は、光電池システムと捉えることもできる。
【００２３】
〔１〕本発明の実施形態に係る故障検出アプローチの概要
光電池装置１０００では、電源部を構成する電源モジュールが、自装置の状態を示す状態情報を、発生させた光起電力に応じた電流が流れる電源線（電力ライン）に印加させる。より具体的には、光電池装置１０００では、例えば、電源部を構成する電源モジュールが、電源モジュール内の電源線に状態情報を印加する。そして、光電池装置１０００では、電源線から印加される直流電源を所定の電源に変換するインバータ（パワーコンディショナともよばれる。）が、上記状態情報や、状態情報を含む検出情報（後述する）を収集することによって、各電源モジュールにおける故障の検出を図る。ここで、上記状態情報や後述する検出情報を用いた故障の検出は、例えば、インバータが行うことができ、また、外部装置が行うこともできる。また、インバータとしては、例えば、直流電源を交流電源に変換するＤＣ（Direct  Current）／ＡＣ（Alternate  Current）インバータや、直流電源を他の直流電源へと変換するＤＣ／ＤＣインバータが挙げられるが、上記に限られない。
【００２４】
光電池装置１０００は、上記のように、電源モジュールごとの状態情報や状態情報を含む検出情報（後述する）を収集することによって、電源モジュールごとの故障の検出を可能とする。つまり、光電池装置１０００は、電源部が複数の電源モジュールを有する構成（直列体）であったとしても、各電源モジュールの故障を検出する（または、外部装置に検出させる。以下、同様とする。）ことが可能である。よって、光電池装置１０００は、従来の光電池装置のように、例えば、電源部を構成する電源モジュールの開放電圧や短絡電流などの測定など、故障した電源モジュールを特定するための他の手段を必要とせずに、電源モジュールごとに故障を検出することができる。したがって、光電池装置１０００は、従来の光電池装置よりも、電源モジュールの故障検出の容易化を図ることができる。
【００２５】
上記のように、光電池装置１０００は、電源部を構成する電源モジュールが電源線に状態情報を印加させることによって、各電源モジュールに生じた故障を検出する。ここで、光電池装置１０００は、例えば、ある電源部において故障などが生じて電位が低くなった場合に電源線から当該電源部への電流の逆流を防止するために、電源線と電源部との間に逆流防止ダイオードを備える。よって、光電池装置１００は、電源線から電源部への電流の逆流を防止し、インバータからより安定した電源を外部装置へと供給することができる。
【００２６】
しかしながら、光電池装置１０００が、電源線と電源部との間に逆流防止ダイオードを備える場合、当該逆流防止ダイオードを備えることによって、電源モジュールが印加した状態情報がインバータへと伝わらない状態が起こりうる。以下、光電池装置１０００において起こりうる逆流防止ダイオードを備えることに起因する問題について説明する。
【００２７】
なお、以下では、主に、光電池装置１０００が電源モジュールの故障を検出するものとして説明するが、上記に限られない。例えば、本発明の実施形態に係る光電池装置１０００は、状態情報や後述する検出情報を収集し、収集された状態情報などを電源モジュールの故障を検出する外部装置へ送信することによって、当該外部装置が電源モジュールの故障を検出することもできる。
【００２８】
〔２〕逆流防止ダイオードを備えることに起因して起こりうる問題
図１は、逆流防止ダイオードを備える光電池装置において起こりうる問題を説明するための第１の説明図である。ここで、図１では、説明の簡単化のために、後述する本発明の第１の実施形態に係る光電池装置１００、第２の実施形態に係る光電池装置２００の構成ではなく、より一般的な逆流防止ダイオードを備える光電池装置１０を示している。以下、逆流防止ダイオードを備えることに起因して起こりうる問題を、図１に示す光電池装置１０を例に挙げて説明する。
【００２９】
図１を参照すると、光電池装置１０は、電源線ＶＬ１（電力ライン）とグランド線ＶＬ２（グランドライン）の間に、直列に接続された逆流防止ダイオードＤ１０Ａおよび電源部１２Ａと、同様の接続関係を有する逆流防止ダイオードＤ１０Ｂおよび電源部１２Ｂとを備える。また、光電池装置１０は、電源線ＶＬ１とグランド線ＶＬ２とにそれぞれ接続されたインバータ１４を備える。ここで、図１では、電源線ＶＬ１とグランド線ＶＬ２との間に２つの電源部１２Ａ、１２Ｂ（以下、総称して「電源部１２」よぶ場合がある。）が並列に接続された構成を示しているが、３つ以上の電源部１２が並列に接続された構成であってもよい。
【００３０】
電源部１２は、１または２以上の電源モジュールを備える。図１では、電源部１２Ａが電源モジュール１６Ａ、１６Ｂの２つの電源モジュールが直列に接続された構成を有し、また、電源部１２Ｂが電源モジュール１６Ｃ、１６Ｄの２つの電源モジュールが直列に接続された構成を有する例を示している。つまり、図１に示す電源部１２は、直列体に相当する。
【００３１】
また、各電源部１２を構成する電源モジュール１６Ａ〜１６Ｄ（以下、総称して「電源モジュール１６」とよぶ場合がある。）それぞれは、光電池モジュール（図１に示す１８Ａ〜１８Ｄ）と、バイパスダイオード（図１に示すＤ１１Ａ〜Ｄ１１Ｄ）を備える。ここで、光電池モジュール１８Ａ〜１８Ｄそれぞれは、入力された光に基づいて光起電力を生じさせるセルが、直列および／または並列に接続された構成を有する。図２は、電源モジュールが有する光電池モジュールを構成するセルの特性の一例を示す説明図である。図２に示すように、光電池モジュールを構成するセルは、入力された光の強度に応じた光起電力を生じさせる。
【００３２】
電源部１２と接続される逆流防止ダイオードＤ１０Ａ、Ｄ１０Ｂ（以下、総称して「逆流防止ダイオードＤ１０」とよぶ場合がある。）は、電流の逆流を防止すると共に、各電源部の電圧の差が吸収されるように、電流の大きさを自動的に調整する役目を果たす。図３は、逆流防止ダイオードの特性の一例を示す説明図である。
【００３３】
ここで、逆流防止ダイオードＤ１０が有する電流調整機能について、より具体的に説明する。なお、以下に示す逆流防止ダイオードＤ１０が有する電流調整機能、および光電池装置１０に係る説明は、後述する本発明の実施形態に係る光電池装置１０００も同様である。図４は、逆流防止ダイオードを備える光電池装置において起こりうる問題を説明するための第２の説明図である。ここで、図４は、図１に示す光電池装置１０を示している。
【００３４】
光電池装置１０などの光電池装置では、各電源部１２の電圧よりもインバータ１４の電圧が低くなるように設計され、各電源部１２が発電を行っている場合には、逆流防止ダイオードＤ１０には正の電圧が印加されて電流が流れる。
【００３５】
このとき、例えば、図１に示す電源部１２Ａの起電力が、電源部１２Ｂよりも小さい場合には、電源部１２Ａに接続された逆流防止ダイオードＤ１０Ａの正の電圧が小さくなり、流れる電流も少なくなる。その結果、図４に示すように、電源部１２Ａと電源部１２Ｂとの電位が揃うこととなる（図４は、９０[Ｖ]に揃えられた例を示している。）。
【００３６】
ここで、例えば、電源部１２Ａが有するある電源モジュールが開放故障や短絡故障などを起こした場合（例えば、図４に示す電源部１２Ａの起電力が９０［Ｖ］より小さくなった場合）には、電源部１２Ａの電位は、電源部１２Ｂに対してより小さくなる。上記の場合には、電源部１２Ａに接続された逆流防止ダイオードＤ１０に負の電位がかかるので、逆流防止ダイオードＤ１０は、電流を一切流さないこととなる。
【００３７】
上記のように、光電池装置１０では、例えば、電源モジュールの故障によって、逆流防止ダイオードに電流が流れないという状態が生じうる。また、上記の状態は、本発明の実施形態に係る光電池装置１０００においても同様に起こりうる。
【００３８】
光電池装置１０００では、電源部を構成する電源モジュールが電源線に状態情報を印加させることによって、例えばインバータが、状態情報に基づいて各電源モジュールに生じた故障を検出する。しかしながら、逆流防止ダイオードに電流が流れない場合には、電源モジュールが状態情報を電源線に印加しようとしても、逆流防止ダイオードに電流が流れないので、当該状態情報は、インバータへは伝達されない。また、例えば電位の変化を利用してインバータへ故障の発生を通知しようとしたとしても、電源線とグランド線との間に複数の電源部が接続された時点に各電源部の電位が同一となるので、電位の変化を利用してインバータへ状態情報を伝達することはできない。
【００３９】
上記のように、光電池装置１０００では、逆流防止ダイオードを備えることに起因して、電源部を構成する電源モジュールが電源線に状態情報を印加したとしても、各電源モジュールに生じた故障を検出することができない場合が生じるという問題が発生しうる。
【００４０】
〔３〕逆流防止ダイオードを備えることに起因して起こりうる問題に対するアプローチ
上記逆流防止ダイオードを備えることに起因して起こりうる問題が生じた場合には、電源モジュールの故障検出を十分に行うことはできない。そこで、本発明の実施形態に係る光電池装置１０００は、例えば、以下の〔３−１〕の処理、〔３−２〕の処理を、電源部ごとに行うことによって、上記逆流防止ダイオードを備えることに起因して起こりうる問題の解決を図る。
【００４１】
〔３−１〕状態情報検出処理
上述したように、電池モジュールに故障が生じた場合には、逆流防止ダイオードに電流が流れないことが起こりうるため、逆流防止ダイオードに流れる電流を用いて状態情報をインバータに伝達することはできない。ここで、再度図３を参照すると、逆流防止ダイオードは、マイナスの電位では電位の変化があったとしても電流は流れないが、電圧の変化は検出することが可能であることが分かる。
【００４２】
したがって、光電池装置１０００は、各電源部に接続された逆流防止ダイオードのアノード−カソード間の電圧の変化（マイナスの電位の変化）を検出することによって、電源モジュールが印加した状態情報を検出する。
【００４３】
〔３−２〕送信処理
光電池装置１０００は、上記〔３−１〕の処理における検出結果に基づく情報（以下、「検出情報」という。）を、電源線を介してインバータへ送信する。ここで、検出信号は、逆流防止ダイオードのアノード−カソード間の電圧の変化に基づく情報（信号）である。よって、本発明の実施形態に係る検出情報は、逆流防止ダイオードに接続された電源部の電源モジュールが印加した状態情報を含む情報であるといえる。
【００４４】
より具体的には、光電池装置１０００は、例えば、電源線と他の逆流防止ダイオードのカソードとの間、または、他の逆流防止ダイオードのアノードと当該他の逆流防止ダイオードと接続される他の電源部との間に検出情報を印加することによって、検出情報の送信を行う。ここで、上記他の逆流防止ダイオードとは、電源線とグランド線との間に接続された逆流防止ダイオードのうち、検出情報に係る逆流防止ダイオードと並列に接続された逆流防止ダイオードをいう。
【００４５】
上記は、光電池装置１０００が、例えば、検出に係る逆流防止ダイオードのアノードと電源線との間（電位が同一の箇所も含む。）に印加した場合には、検出情報をインバータへ伝達することができないためである。例えば、図４の場合を例に挙げて説明すると、逆流防止ダイオードＤ１０Ａに係る検出情報を、逆流防止ダイオードＤ１０Ｂと電源線ＶＬ１との接続点より逆流防止ダイオードＤ１０Ａ側に印加した場合を想定する。上記の場合には、逆流防止ダイオードＤ１０Ａには電流が流れず、また、逆流防止ダイオードＤ１０Ａの電圧の変化は、例えば９０［Ｖ］に合うように変化するだけであり、インバータ１４は、電圧の変化にて検出情報を検出することはできない。よって、上記の場合には、インバータ１４へは検出情報は伝達されないこととなる。
【００４６】
そこで、光電池装置１０００は、例えば、電源線と他の逆流防止ダイオードのカソードとの間、または、他の逆流防止ダイオードのアノードと当該他の逆流防止ダイオードと接続される他の電源部との間に検出情報を印加することによって、検出情報の送信を行う。光電池装置１０００が、例えば、逆流防止ダイオードそれぞれに係る検出情報を、他の電源部側にそれぞれ印加することによって、検出情報をインバータへ伝達することができる。
【００４７】
ここで、光電池装置１０００は、例えば、光電池装置１０００を構成する電圧部を２つずつ組にし、組を構成する他の電源部側に互いの検出情報を印加することによって、検出情報を電源線を介してインバータへ送信するが、上記に限られない。
【００４８】
光電池装置１０００は、例えば、上記〔３−１〕の処理（状態情報検出処理）、〔３−２〕の処理（送信処理）を、電源線とグランド線との間に接続された電源部および逆流防止ダイオードそれぞれにおいて行う。したがって、光電池装置１０００は、電源モジュールの故障などによって、上記逆流防止ダイオードを備えることに起因して起こりうる問題が生じた場合であっても、電源モジュールの故障検出を行うことができる。
【００４９】
以上のように、光電池装置１０００は、電源部を構成する電源モジュールが電源線に状態情報を印加することによって、状態情報に基づいて電源モジュールごとに故障を検出する。また、光電池装置１０００は、各電源部に接続された逆流防止ダイオードのアノード−カソード間の電圧の変化に基づく検出情報を他の電源部側に印加する。上記によって、光電池装置１０００は、仮に逆流防止ダイオードに電流が流れない場合であっても、状態情報が含まれる検出情報に基づいて電源モジュールの故障を検出することができる。よって、光電池装置１０００は、従来の光電池装置のように、例えば、電源部を構成する電源モジュールの開放電圧や短絡電流などの測定など、故障した電源モジュールを特定するための他の手段を必要とせずに、電源モジュールごとに故障を検出することができる。したがって、光電池装置１０００は、電源モジュールの故障検出の容易化を図ることができる。
【００５０】
以下、本発明の実施形態に係る故障検出アプローチを実現可能な、本発明の第１、第２の実施形態に係る光電池装置１０００の構成について説明する。
【００５１】
（本発明の第１の実施形態に係る光電池装置）
図５は、本発明の第１の実施形態に係る光電池装置１００の構成の一例を示す説明図である。
【００５２】
ここで、図５は、図１と同様に、電源線ＶＬ１（電力ライン）とグランド線ＶＬ２（グランドライン）との間に２つの電源部１０２Ａ、１０２Ｂ（以下、総称して「電源部１０２」よぶ場合がある。）が並列に接続された構成を示しているが、上記に限られない。例えば、光電池装置１００は、電源線ＶＬ１とグランド線ＶＬ２の間に３つ以上の電源部１０２が並列に接続された構成であってもよい。
【００５３】
また、図５は、上述した逆流防止ダイオードを備えることに起因して起こりうる問題の解決を図るための構成の一例として、電源部１０２Ａと電源部１０２Ｂとが１つの組とされた構成を示している。つまり、電源部１０２Ａに接続された逆流防止ダイオードＤ１Ａに係る検出情報は、電源部１０２Ｂ側に印加され、また、電源部１０２Ｂに接続された逆流防止ダイオードＤ１Ｂに係る検出情報は、電源部１０２Ａ側に印加される。以下では、逆流防止ダイオードＤ１Ａ、Ｄ１Ｂを総称して「逆流防止ダイオードＤ１」とよぶ場合がある。
【００５４】
よって、図５に示すように、電源部１０２Ａに係る構成と電源部１０２Ｂに係る構成とは、同様の構成をとることができるので、以下では、主に電源部１０２Ａに係る構成について説明する。なお、例えば以下に示す電源部１０２Ａは、電源部１０２Ｂと読み替えることができ、また、その他の構成要素も同様に読み替えることができることは、言うまでもない。
【００５５】
［電源部１０２Ａに係る構成］
電源部１０２Ａに係る構成は、電源部１０２Ａと、逆流防止ダイオードＤ１Ａと、電圧検出部１１０Ａと、第１通信制御部１１２Ａと、第１通信部１１４Ａとからなる。
【００５６】
ここで、電圧検出部１１０Ａ、第１通信制御部１１２Ａ、および第１通信部１１４Ａは、電源部１０２Ａに係る構成において、検出情報送信部の役目を果たす。本発明の実施形態に係る検出情報送信部とは、例えば、光電池装置１００において対応する逆流防止ダイオードのアノード−カソード間の電圧を検出し、検出結果に基づく検出情報を電源線ＶＬ１へ印加する役目を果たす機能ブロックをいう。
【００５７】
電源部１０２Ａは、１または２以上の電源モジュールを備える。図５では、電源部１０２Ａが電源モジュール１０６Ａ、１０６Ｂの２つの電源モジュールが直列に接続された構成を示しているが、上記に限られない。ここで、図５に示す電源モジュールが直列に接続された電源部１０２Ａは、直列体に相当する。また、以下では、電源部１０２を構成する電源モジュール１０６Ａ、１０６Ｂなどを総称して電源モジュール１０６とよぶ場合がある。
【００５８】
電源モジュール１０６は、入力された光に基づいて光起電力を生じさせる。また、電源モジュール１０６は、電源モジュール１０６の状態を示す状態情報を電源線ＶＬ１（より厳密には、電源部１０２における起電力に応じた電流を電源線ＶＬ１へと伝達するための電源モジュール１０６内の電源線）に印加させる。ここで、電源モジュール１０６における状態情報の電源線ＶＬ１への印加は、状態情報の送信に相当する。
【００５９】
〔電源モジュール１０６の構成例〕
図６は、本発明の第１の実施形態に係る電源モジュール１０６の構成の一例を示す説明図である。
【００６０】
電源モジュール１０６は、光電池モジュール１２０と、バイパスダイオードＤ２と、状態検出部１２２と、第２通信制御部１２４と、第３通信部１２６とを備える。
【００６１】
光電池モジュール１２０は、入力された光に基づいて光起電力を生じさせるセルが、直列および／または並列に接続された構成を有する。ここで、セルは、光電池装置１００における入力された光に基づいて光起電力を生じさせるデバイスの最小の単位となるデバイスである。結晶タイプのセルの場合、セルは、開放電圧が０．５５〜０．６［Ｖ］、短絡電流が２５〜３０［ｍＡ／ｃｍ２］程度のデバイスとして機能する。また、光電池モジュール１２０を構成する各セルの特性は、例えば、図２で表され、入力された光の強度に応じた光起電力を生じさせる。
【００６２】
バイパスダイオードＤ２は、光電池モジュール１２０のグランド線側の第１端子Ｔ１にアノードが接続され、光電池モジュール１２０の電源線側の第２端子Ｔ２にカソードが接続される。
【００６３】
また、バイパスダイオードＤ２は、例えば、光電池モジュール１２０が開放故障を起こした場合に、電流（直列に接続された他の電源モジュール１０６の起電力に応じて流れる電流）を流すための電流のバイパス（迂回路）を形成する役目を果たす。例えば、光電池モジュール１２０に起電力がある場合や光電池モジュール１２０が短絡故障を起こした場合には、バイパスダイオードＤ２に負の電圧がかかるため、バイパスダイオードＤ２には電流は流れない。これに対して、例えば光電池モジュール１２０が開放故障を起こした場合には、光電池モジュール１２０の抵抗値は無限大の状態となるので、電流はバイパスダイオードＤ２に流れることとなる。
【００６４】
状態検出部１２２は、電源モジュール１０６の状態を検出し、検出結果を第２通信制御部１２４へ伝達する。ここで、状態検出部１２２が検出する電源モジュール１０６の状態とは、例えば、電源モジュール１０６が電源として正常に機能しているか否かを示すものである。
【００６５】
状態検出部１２２は、例えば、電源モジュール１０６において下記に示す値を検出し、検出結果として第２通信制御部１２４へ伝達する。なお、本発明の実施形態に係る状態検出部１２２が検出する対象が、下記のものに限られないことは、言うまでもない。
・光電池モジュール１２０の電圧
・光電池モジュール１２０に流れる電流
・バイパスダイオードＤ２の電圧
・バイパスダイオードＤ２に流れる電流
・グランド線ＶＬ２から第２端子Ｔ２までの電圧
【００６６】
ここで、本発明の実施形態では、状態検出部１２２から伝達される検出結果を状態情報と捉えることができるが、上記に限られない。例えば、本発明の実施形態に係る電源モジュール１０６は、第２通信制御部１２４が状態検出部１２２から伝達される検出結果に基づいて状態情報を生成することもできる。以下では、状態検出部１２２が状態情報を第２通信制御部１２４へ伝達するものとして説明する。
【００６７】
第２通信制御部１２４は、状態検出部１２２から伝達される状態情報を第３通信部１２６に送信させる。また、第２通信制御部１２４は、状態検出部１２２から伝達される状態情報に基づいて故障が発生したか否かを判定し、故障が発生した場合に選択的に状態情報を送信することもできる。
【００６８】
第３通信部１２６は、トランスで構成され、状態情報を電源線ＶＬ１（より厳密には、電源部１０２における起電力に応じた電流を電源線ＶＬ１へと伝達するための電源モジュール内の電源線）に印加する。第３通信部１２６を備えることによって、電源モジュール１０６は、電源部１０２における光起電力に応じた電流に状態情報を重畳させることによって、状態情報を送信することができる。
【００６９】
トランスを構成する１次コイルＬ３は、第２通信制御部１２４と接続される。また、トランスを構成する２次コイルＬ４は、例えば、第２端子Ｔ２よりも電源線ＶＬ１側に接続される。なお、本発明の実施形態に係る電源モジュール１０６の構成は、上記に限られない。例えば、第３通信部１２６は、トランスを構成する２次コイルＬ４が、第１端子Ｔ１よりもグランド線ＶＬ２側に接続される構成であってもよい。
【００７０】
第２通信制御部１２４は、例えば、上記のような接続関係を有する第３通信部１２６に状態検出部１２２から伝達される状態情報を送信させる。ここで、第２通信制御部１２４の構成について説明する。
【００７１】
＜第２通信制御部１２４の構成例＞
図７は、本発明の第１の実施形態に係る電源モジュール１０６が備える第２通信制御部１２４の構成の一例を示す説明図である。ここで、図７は、第２通信制御部１２４が、状態検出部１２２から伝達される状態情報に基づいて故障が発生したか否かを判定し、故障が発生した場合に選択的に状態情報を送信する場合の構成の一例を示している。また、図７では、第３通信部１２６を併せて示している。
【００７２】
第２通信制御部１２４は、ＡＤ変換器１３０（Analog  to  Digital  Converter）と、処理部１３２と、ＤＡ変換器１３４（Digital  to  Analog  Converter）と、ＰＡ１３６（Power  Amplifier）と、ドライバ回路１３８とを備える。
【００７３】
ＡＤ変換器１３０は、状態情報（アナログ信号）をデジタル信号に変換する。なお、処理部１３２がアナログ信号を処理可能な構成である場合には、第２通信制御部１２４は、ＡＤ変換器１３０を備えていなくてもよい。
【００７４】
処理部１３２は、例えば、ＭＰＵ（Micro  Processing  Unit）などで構成され、ＡＤ変換器１３０から伝達される状態情報に基づいて、故障が発生したか否かを判定し、故障が発生したと判定した場合に状態情報を第３通信部１２６に送信させる。また、処理部１３２は、故障判定部１４０と、送信処理部１４２とを備える。
【００７５】
故障判定部１４０は、状態情報に基づいて故障を判定し、判定結果を送信処理部１４２へ伝達する。ここで、故障判定部１４０は、例えば、状態情報と、故障を判定するための判定用データ（上記状態検出部１２２の検出対象にそれぞれ対応するデータ）とを用いた閾値処理を行うことによって、故障が発生したか否かを判定するが、上記に限られない。また、故障判定部１４０が閾値処理に用いる上記判定用データは、例えば、処理部１３２が備える記憶媒体に記憶される。処理部１３２が備える記憶媒体としては、例えば、ＥＥＰＲＯＭ（Electrically  Erasable  and  Programmable  Read  Only  Memory）やフラッシュメモリ（flash  memory）などの不揮発性メモリ（nonvolatile  memory）が挙げられるが、上記に限られない。
【００７６】
送信処理部１４２は、故障判定部１４０の判定結果に基づいて、例えば、故障判定部１４０において故障が発生したと判定された場合に、状態情報を第３通信部１２６に送信させる（状態情報の選択的な送信）。
【００７７】
処理部１３２は、故障判定部１４０と送信処理部１４２とを備えることによって、状態情報に基づいて、故障が発生したか否かを判定し、故障が発生したと判定した場合に選択的に状態情報を第３通信部１２６に送信させる。
【００７８】
ＤＡ変換器１３４は、処理部１３２から伝達される状態情報（デジタル信号）をアナログ信号に変換する。なお、処理部１３２がアナログ信号を処理し、アナログ信号としての状態情報を出力する構成である場合には、第２通信制御部１２４は、ＤＡ変換器１３４を備えていなくてもよい。
【００７９】
ＰＡ１３６は、ＤＡ変換器１３４から伝達される状態情報を増幅する。そして、ドライバ回路１３８は、ＰＡ１３６から伝達される増幅された状態情報を、第３通信部１２６を構成するトランスの１次コイルＬ３に印加し、状態情報を送信させる。
【００８０】
第２通信制御部１２４は、例えば、図７に示す構成によって、状態検出部１２２から伝達される状態情報に基づいて故障が発生したか否かを判定し、故障が発生した場合に選択的に状態情報を送信することができる。なお、本発明の実施形態に係る第２通信制御部１２４の構成は、図７の構成に限られない。例えば、本発明の実施形態に係る第２通信制御部１２４は、ＡＤ変換器１３０、処理部１３２、およびＤＡ変換器１３４を備えず、状態検出部１２２から伝達される状態情報を第３通信部１２６に送信させる構成とすることもできる。
【００８１】
電源部１０２Ａを構成する電源モジュール１０６は、例えば、図６に示す構成によって、入力された光に基づいて光起電力を生じさせ、状態情報を電源線ＶＬ１に印加させる（すなわち、状態情報を送信する）ことができる。なお、本発明の実施形態に係る電源モジュール１０６の構成が、図６に示す構成に限られないことは、言うまでもない。
【００８２】
再度図５を参照して、光電池装置１００における電源部１０２Ａに係る構成について説明する。逆流防止ダイオードＤ１Ａは、図１に示す逆流防止ダイオードＤ１０と同様に、電流の逆流を防止し、各電源部１０２の電圧の差が吸収されるように電流の大きさを自動的に調整する役目を果たす。また、逆流防止ダイオードＤ１Ａの特性は、例えば、図３で表される。
【００８３】
電圧検出部１１０Ａは、逆流防止ダイオードＤ１Ａのアノード−カソード間の電圧を検出し、検出結果を第１通信制御部１１２Ａへ伝達する。ここで、電圧検出部１１０Ａは、例えば電圧検出器（Voltage  Detector）で構成されるが、上記に限られない。
【００８４】
また、本発明の実施形態では、電圧検出部１１０Ａから伝達される検出結果を検出情報と捉えることができるが、上記に限られない。例えば、第１の実施形態に係る光電池装置１００は、第１通信制御部１１２Ａが電圧検出部１１０Ａから伝達される検出結果に基づいて検出情報を生成することもできる。以下では、電圧検出部１１０Ａが検出情報を第１通信制御部１１２Ａへ伝達するものとして説明する。
【００８５】
第１通信制御部１１２Ａは、電圧検出部１１０Ａから伝達される検出情報を第１通信部１１４Ａに送信させる。また、第１通信制御部１１２Ａは、例えば、インバータ１０４から送信される情報（例えば、後述する第１情報取得要求など。）に基づいて、選択的に検出情報を第１通信部１１４Ａに送信させることもできる。
【００８６】
第１通信部１１４Ａは、トランスで構成され、検出情報を電源線ＶＬ１に印加させる。ここで、第１通信部１１４Ａにおける検出情報の電源線ＶＬ１への印加は、検出信号の送信に相当する。より具体的には、第１通信部１１４Ａは、上述した逆流防止ダイオードを備えることに起因して起こりうる問題の解決を図るために、例えば、検出情報を下記の箇所に印加することによって、検出情報を電源線ＶＬ１に印加させる。
・電源線ＶＬ１と逆流防止ダイオードＤ１Ｂ（他の逆流防止ダイオード）のカソードとの間
・逆流防止ダイオードＤ１Ｂ（他の逆流防止ダイオード）のアノードと電源部１０２Ｂ（他の逆流防止ダイオードと接続される他の電源部）との間
【００８７】
トランスを構成する１次コイルＬ１Ａは、第１制御部１１２Ａと接続される。また、トランスを構成する２次コイルＬ２Ａは、図５に示すように、例えば、電源線ＶＬ１と逆流防止ダイオードＤ１Ｂのカソードとの間に接続される。なお、トランスを構成する２次コイルＬ２Ａは、上記のように、例えば、逆流防止ダイオードＤ１Ｂのアノードと電源部１０２Ｂとの間に接続されてもよい。つまり、第１の実施形態に係る第１通信部１１４Ａは、他の電源部と電源線ＶＬ１との間に接続される。
【００８８】
上記のような接続関係を有する第１通信部１１４Ａを備えることによって、光電池装置１００は、電源部１０２Ｂ（他の電源部）における光起電力に応じた電流に検出情報を重畳させることによって、検出情報を送信することができる。
【００８９】
また、第１通信制御部１１２Ａは、例えば、上記のような接続関係を有する第１通信部１１４Ａに電圧検出部１１０Ａから伝達される検出情報を送信させる。ここで、第１通信制御部１１２Ａの構成について説明する。
【００９０】
＜第１通信制御部１１２Ａの構成例＞
＜１＞第１の構成例
図８は、本発明の第１の実施形態に係る第１通信制御部１１２Ａの第１の構成例を示す説明図である。ここで、図８は、電圧検出部１１０Ａから伝達される検出情報を、伝達されるごとに逐次第１通信部１１４Ａに送信させる構成を示している。つまり、図８に示す第１通信制御部１１２Ａの第１の構成例は、例えば、「Ａｍｐ  ａｎｄ  Ｆｏｒｗａｒｄ型」とよぶことができる。また、図８では、第１通信部１１４Ａを併せて示している。
【００９１】
第１の構成例に係る第１通信制御部１１２Ａは、ＡＤ変換器１５０と、ＤＡ変換器１５２と、ＰＡ１５４と、ドライバ回路１５６とを備える。なお、図８では、第１通信制御部１１２Ａが、ＡＤ変換器１５０とＤＡ変換器１５２とを備える構成を示しているが、上記に限られない。例えば、第１通信制御部１１２Ａは、ＡＤ変換器１５０およびＤＡ変換器１５２を備えない構成とすることもできる。
【００９２】
ＡＤ変換器１５０は、電圧検出部１１０Ａから伝達される検出情報（アナログ信号）をデジタル信号に変換する。ＤＡ変換器１５２は、ＡＤ変換器１５０から伝達される検出情報（デジタル信号）をアナログ信号に変換する。ＰＡ１５４は、ＤＡ変換器１５２から伝達される検出情報を増幅する。そして、ドライバ回路１５６は、ＰＡ１５４から伝達される増幅された検出情報を、第１通信部１１４Ａを構成するトランスの１次コイルＬ１Ａに印加し、検出情報を送信させる。
【００９３】
第１の構成例に係る第１通信制御部１１２Ａは、例えば、図８に示す構成によって、電圧検出部１１０Ａから伝達される検出情報を、伝達されるごとに逐次第１通信部１１４Ａに送信させることができる。
【００９４】
＜２＞第２の構成例
図９は、本発明の第１の実施形態に係る第１通信制御部１１２Ａの第２の構成例を示す説明図である。ここで、図９は、電圧検出部１１０Ａから伝達される検出情報を処理（例えば、故障判定処理）し、処理結果に応じて変調を行う（すなわち、検出情報の再生成に相当する。）構成の一例を示している。つまり、図９に示す第１通信制御部１１２Ａの第２の構成例は、例えば、「Ｄｅｃｏｄｅ  ａｎｄ  Ｆｏｒｗａｒｄ型」とよぶことができる。
【００９５】
また、第１通信制御部１１２Ａが「Ｄｅｃｏｄｅ  ａｎｄ  Ｆｏｒｗａｒｄ型」の場合には、例えば、インバータ１０４から送信される情報（例えば、後述する第１情報取得要求など。）に基づいて、選択的に検出情報を第１通信部１１４Ａに送信させることもできる。よって、図９では、インバータ１０４から送信される情報（例えば、後述する第１情報取得要求など。）に基づいて、選択的に検出情報を第１通信部１１４Ａに送信させる構成の一例を示している。なお、図９では、図８と同様に、第１通信部１１４Ａを併せて示している。
【００９６】
第２の構成例に係る第１通信制御部１１２Ａは、ＡＤ変換器１５０と、処理部１５８と、ＤＡ変換器１５２と、ＰＡ１５４と、ドライバ回路１５６と、ＰＡ１６０と、ＡＤ変換器１６２とを備える。
【００９７】
ＡＤ変換器１５０は、電圧検出部１１０Ａから伝達される検出情報（アナログ信号）をデジタル信号に変換する。なお、処理部１５８がアナログ信号を処理可能な構成である場合には、第１通信制御部１１２Ａは、ＡＤ変換器１５０を備えていなくてもよい。
【００９８】
処理部１５８は、例えば、ＭＰＵや、各種処理回路、記憶媒体などで構成され、ＡＤ変換器１５０から伝達される検出情報に基づいて、故障が発生したか否かを判定する。そして、処理部１５８は、例えば、故障が発生したと判定した場合に検出情報を記憶する。また、処理部１５８は、第１通信部１１４Ａを介して伝達されるインバータ１０４が送信した検出情報の送信を要求する第１情報取得要求が検出された場合には、記憶した検出情報に基づいて変調を行い、検出情報を第１通信部１１４Ａに送信させる。
【００９９】
また、処理部１５８は、故障判定部１６４と、記憶部１６６と、送信判定部１６８と、送信処理部１７０とを備える。なお、図９では、処理部１５８が記憶部１６６を備える構成を示してるが、上記に限られない。例えば、第２の構成例に係る第１通信制御部１１２Ａは、処理部１５８と記憶部１６６とを別体として備えることもできる。
【０１００】
故障判定部１６４は、ＡＤ変換器１５０から伝達される検出情報に基づいて故障を判定し、検出情報を選択的に記憶部１６６に記録する。ここで、故障判定部１６４は、例えば、検出情報と、故障を判定するための判定用データとを用いた閾値処理を行うことによって、故障が発生したか否かを判定するが、上記に限られない。また、ＡＤ変換器１５０から伝達される検出情報には、各電源モジュール１０６が印加した状態情報が含まれうるので、故障判定部１６４は、電源モジュール１０６が備える故障判定部１４０と同様の判定用データを用いて判定を行うことができる。また、故障判定部１６４が閾値処理に用いる上記判定用データは、例えば、処理部１５８が備える記憶部１６６に記憶されるが、上記に限られない。
【０１０１】
なお、本発明の実施形態に係る故障判定部１６４は、判定結果によらずＡＤ変換器１５０から伝達される検出情報を記憶部１６６に記録することもできる。上記の場合、本発明の実施形態に係る故障判定部１６４は、判定結果を示す情報を検出情報に付加してもよい。
【０１０２】
記憶部１６６は、処理部１５８が備える記憶手段であり、例えば、検出情報や上記判定用データ、第１通信制御部１１２Ａを識別するための固有のＩＤ情報などを記憶する。ここで、図９では、記憶部１６６がＩＤ情報１７２と検出情報１７４を記憶している例を示している。記憶部１６６としては、例えば、ＥＥＰＲＯＭやフラッシュメモリなどの不揮発性メモリが挙げられるが、上記に限られない。
【０１０３】
送信判定部１６８は、ＡＤ変換器１６２から伝達されるデジタル信号に基づいて、インバータ１０４が送信した第１情報取得要求が受信されたか否かを判定する。そして、送信判定部１６８は、例えば、第１情報取得要求が受信されたと判定した場合に、判定結果を送信処理部１７０へ選択的に伝達する。なお、本発明の実施形態に係る送信判定部１６８が、判定処理を行うごとに判定結果を送信制御部１７０へ送信こともできることは、言うまでもない。
【０１０４】
送信処理部１７０は、送信判定部１６８から第１情報取得要求が受信されたことを示す判定結果が伝達された場合に、記憶部１６６に記憶された検出情報をＤＡ変換器１５２へ伝達する。ここで、送信処理部１７０は、記憶部１６６に記憶された検出情報に基づいて変調（デジタル変調）を行うことによって検出情報をＤＡ変換器１５２へ伝達するが、上記に限られない。
【０１０５】
また、送信処理部１７０は、上記判定結果が伝達された場合に記憶部１６６に検出情報が記憶されていないときには、例えば、電源モジュール１０６が故障していないことを示す検出情報を生成してＤＡ変換器１５２へ伝達するが、上記に限られない。
【０１０６】
処理部１５８は、例えば、図９に示す構成によって、伝達される検出情報に基づいて、故障が発生したか否かを判定し、検出情報を第１通信部１１４Ａに選択的に送信させることができる。
【０１０７】
ＤＡ変換器１５２は、処理部１５８から伝達される検出情報をアナログ信号に変換する。ＰＡ１５４は、ＤＡ変換器１５２から伝達される検出情報を増幅する。そして、ドライバ回路１５６は、ＰＡ１５４から伝達される増幅された検出情報を、第１通信部１１４Ａを構成するトランスの１次コイルＬ１Ａに印加し、検出情報を送信させる。
【０１０８】
ＰＡ１６０は、第１通信部１１４Ａを構成するトランスの１次コイルＬ１Ａから伝達される信号を増幅する。ＡＤ変換器１６２は、ＰＡ１６０から伝達される信号（アナログ信号）をデジタル信号に変換し、処理部１５８へ伝達する。なお、処理部１５８がアナログ信号を処理可能な構成である場合には、第１通信制御部１１２Ａは、ＡＤ変換器１６２を備えていなくてもよい。
【０１０９】
第２の構成例に係る第１通信制御部１１２Ａは、例えば、図９に示す構成によって、電圧検出部１１０Ａから伝達される検出情報を第１通信部１１４Ａに送信させることができる。
【０１１０】
第１通信制御部１１２Ａは、例えば、図８、図９に示すような構成を有することによって、上記のような接続関係を有する第１通信部１１４Ａに電圧検出部１１０Ａから伝達される検出情報を送信させることができる。なお、本発明の第１の実施形態に係る第１通信制御部１１２Ａの構成が、図８に示す第１の構成例、図９に示す第２の構成例に限られないことは、言うまでもない。
【０１１１】
第１の実施形態に係る光電池装置１００は、電源部１０２Ａに係る構成として、例えば、電源部１０２Ａ、逆流防止ダイオードＤ１Ａ、電圧検出部１１０Ａ、第１通信制御部１１２Ａ、第１通信部１１４Ａを備える。上記の構成を備えることによって、光電池装置１００は、電源部１０２Ａを構成する電源モジュール１０６の状態を示す状態情報、および／または、状態情報を含む検出情報を、電源線ＶＬ１に印加することができる。
【０１１２】
なお、上記では、電源部１０２Ａに係る構成を説明したが、上述したように電源部１０２Ｂなど光電池装置１００が備える他の電源部に係る構成も、電源部１０２Ａに係る構成と同様の構成をとることができる。
【０１１３】
再度図５を参照して、光電池装置１００の構成要素について説明する。インバータ１０４は、電源線ＶＬ１およびグランド線ＶＬ２と接続され、電源線ＶＬ１から印加される直流電源を所定の電源に変換し、外部装置へ変換した電源を供給する役目を果たす。
【０１１４】
また、インバータ１０４は、状態情報や検出情報を電源線ＶＬ１を介して受信する。ここで、インバータ１０４は、例えば、受信した状態情報や検出情報に基づいて各電源モジュールの故障を検出する機能を有することができるが、上記に限られない。インバータ１０４は、例えば、状態情報や検出情報を検出するためのフィルタ回路（図示せず）や、フィルタ回路の出力に対して判定処理などの処理を行い故障を判定する処理回路（図示せず）などを備えることにより、故障を検出する機能を有することができる。また、インバータ１０４は、検出した故障の情報を、外部装置へと有線／無線で送信するための通信回路（図示せず）をさらに備えていてもよい。
【０１１５】
また、第１の実施形態に係るインバータ１０４は、受信した状態情報や検出情報を、故障の検出が可能な外部装置へと送信する（すなわち、状態情報や検出情報を中継する）役目を果たしてもよい。インバータ１０４は、例えば、フィルタ回路（図示せず）と、通信回路（図示せず）とを備えることによって、状態情報や検出情報を中継することができる。
【０１１６】
さらに、第１の実施形態に係るインバータ１０４は、例えば、検出情報の送信を要求する第１情報取得要求などの情報（データ）を、電源線ＶＬ１を介して各第１通信制御部１１２に送信することもできる。インバータ１０４が、例えば、検出情報の送信を要求する第１情報取得要求を送信することによって、電源モジュールの故障を検出するタイミングをインバータ１０４側で制御することが可能となる。また、インバータ１０４は、例えば、第１通信部１１４それぞれを識別するための識別情報が含まれる第１情報取得要求を送信することもできる。上記によって、インバータ１０４は、特定の第１通信制御部１１２から検出情報を取得することができる。ここで、インバータ１０４は、例えば、第１情報取得要求などの情報を選択的に送信する送信回路（図示せず）を備えることによって、第１情報取得要求などの情報の送信を実現することができるが、上記に限られない。
【０１１７】
以上のように、第１の実施形態に係る光電池装置１００は、電源部１０２を構成する電源モジュール１０６が電源線ＶＬ１に状態情報を印加させることによって、状態情報に基づいて電源モジュールごとに故障を検出する。また、光電池装置１００は、各電源部１０２に接続された逆流防止ダイオードＤ１のアノード−カソード間の電圧の変化に基づく検出情報を他の電源部側に印加する。上記によって、光電池装置１００は、仮に逆流防止ダイオードＤ１に電流が流れない場合であっても、状態情報が含まれる検出情報に基づいて電源モジュール１０６の故障を検出することができる。よって、光電池装置１００は、従来の光電池装置のように、例えば、電源部を構成する電源モジュールの開放電圧や短絡電流などの測定など、故障した電源モジュールを特定するための他の手段を必要とせずに、電源モジュールごとに故障を検出することができる。したがって、光電池装置１００は、電源モジュールの故障検出の容易化を図ることができる。
【０１１８】
また、光電池装置１００は、電源線ＶＬ１に印加される状態情報、および／または検出情報により、各電源モジュールの様々な故障の情報を収集することができる。よって、光電池装置１００は、光電池装置１００（または光電池システム）の管理コストを低減することができる。
【０１１９】
（本発明の第２の実施形態に係る光電池装置）
上記では、本発明の実施形態に係る光電池装置として、例えば図５に示す構成を有する光電池装置１００について説明した。しかしながら、本発明の実施形態に係る光電池装置の構成は、図５に示す光電池装置１００の構成に限られない。例えば、本発明の実施形態に係る光電池装置は、電源部を構成する各電源モジュールがインバータから送信される情報（例えば、後述する第２情報取得要求。）に基づいて、選択的に状態情報を送信する構成とすることもできる。そこで、次に、本発明の第２の実施形態として、電源部を構成する各電源モジュールがインバータから送信される情報（例えば、後述する第２情報取得要求）に基づいて選択的に状態情報を送信することが可能な光電池装置２００について説明する。
【０１２０】
図１０は、本発明の第２の実施形態に係る光電池装置２００の構成の一例を示す説明図である。図１０と図５とを比較すると、第２の実施形態に係る光電池装置２００は、基本的に第１の実施形態に係る光電池装置１００と同様の構成を有していることが分かる。
【０１２１】
ここで、図１０は、図５と同様に、電源線ＶＬ１とグランド線ＶＬ２との間に２つの電源部２０２Ａ、２０２Ｂ（以下、総称して「電源部２０２」よぶ場合がある。）が並列に接続された構成を示しているが、上記に限られない。例えば、光電池装置２００は、電源線ＶＬ１とグランド線ＶＬ２の間に３つ以上の電源部２０２が並列に接続された構成であってもよい。
【０１２２】
また、図１０は、上述した逆流防止ダイオードを備えることに起因して起こりうる問題の解決を図るための構成の一例として、図５と同様に、電源部２０２Ａと電源部２０２Ｂとが１つの組とされた構成を示している。よって、図１０に示すように、電源部２０２Ａに係る構成と電源部２０２Ｂに係る構成とは、同様の構成をとることができるので、以下では、主に電源部２０２Ａに係る構成について説明する。
【０１２３】
［電源部２０２Ａに係る構成］
電源部２０２Ａに係る構成は、電源部２０２Ａと、逆流防止ダイオードＤ１Ａと、電圧検出部１１０Ａと、第１通信制御部１１２Ａと、第１通信部１１４Ａと、第２通信部２０４からなる。ここで、電圧検出部１１０Ａ、第１通信制御部１１２Ａ、および第１通信部１１４Ａは、電源部２０２Ａに係る構成において、検出情報送信部の役目を果たす。
【０１２４】
電源部２０２Ａは、１または２以上の電源モジュールを備える。図１０では、電源部２０２Ａが電源モジュール２０８Ａ、２０８Ｂの２つの電源モジュールが直列に接続された構成を示しているが、上記に限られない。以下では、電源部２０２を構成する電源モジュール２０８Ａ、２０８Ｂなどを総称して電源モジュール２０８とよぶ場合がある。
【０１２５】
電源モジュール２０８は、図５に示す電源モジュール１０６と同様に、入力された光に基づいて光起電力を生じさせる。また、電源モジュール２０８は、電源モジュール２０８の状態を示す状態情報を電源線ＶＬ１（より厳密には、電源部２０２における起電力に応じた電流を電源線ＶＬ１へと伝達するための電源モジュール１０６内の電源線）に印加させる。ここで、電源モジュール２０８における状態情報の電源線ＶＬ１への印加は、状態情報の送信に相当する。
【０１２６】
上記のように、電源モジュール２０８は、基本的に図５に示す第１の実施形態に係る電源モジュール１０６と同様の機能を有する。ここで、電源モジュール２０８と第１の実施形態に係る電源モジュール１０６との差異は、電源モジュール２０８が、インバータ２０６から送信される情報（例えば、後述する第２情報取得要求）に基づいて選択的に状態情報を送信することにある。そこで、次に、電源モジュール２０８の構成の一例について説明する。
【０１２７】
〔電源モジュール２０８の構成例〕
図１１は、本発明の第２の実施形態に係る電源モジュール２０８の構成の一例を示す説明図である。
【０１２８】
電源モジュール２０８は、光電池モジュール１２０と、バイパスダイオードＤ２と、状態検出部１２２と、第２通信制御部２２０と、第３通信部１２６とを備える。ここで、光電池モジュール１２０、バイパスダイオードＤ２、状態検出部１２２、および第３通信部１２６は、それぞれ図６に示す第１の実施形態に係る電源モジュール１０６と同様の機能、構成を有する。
【０１２９】
第２通信制御部２２０は、図５に示す第１の実施形態に係る第２通信制御部１２４と同様に、状態検出部１２２から伝達される状態情報を第３通信部１２６に送信させる。ここで、第２通信制御部２２０は、インバータ２０６から送信される状態情報の送信を要求する第２情報取得要求が受信されたことを判定し、判定結果に応じて選択的に状態情報を送信する点が、第１の実施形態に係る第２通信制御部１２４とは異なる。
【０１３０】
＜第２通信制御部１２４の構成例＞
図１２は、本発明の第２の実施形態に係る電源モジュール２０８が備える第２通信制御部２２０の構成の一例を示す説明図である。ここで、図１２では、第３通信部１２６を併せて示している。
【０１３１】
第２通信制御部２２０は、ＡＤ変換器１３０と、処理部２２２と、ＤＡ変換器１３４と、ＰＡ１３６と、ドライバ回路１３８と、ＰＡ２２４と、ＡＤ変換器２２６とを備える。
【０１３２】
ＡＤ変換器１３０は、状態情報（アナログ信号）をデジタル信号に変換する。なお、処理部２２２がアナログ信号を処理可能な構成である場合には、第２通信制御部２２０は、ＡＤ変換器１３０を備えていなくてもよい。
【０１３３】
処理部２２２は、例えば、ＭＰＵや、各種処理回路、記憶媒体などで構成され、ＡＤ変換器１３０から伝達される状態出情報に基づいて、故障が発生したか否かを判定する。そして、処理部２２２は、例えば、故障が発生したと判定した場合に状態情報を記憶する。また、処理部２２２は、第３通信部１２６を介して伝達されるインバータ２０６が送信した状態情報の送信を要求する第２情報取得要求が検出された場合には、記憶した状態情報に基づいて変調を行い、状態情報を第３通信部１２６に送信させる。
【０１３４】
また、処理部２２２は、故障判定部２２８と、記憶部２３０と、送信判定部２３２と、送信処理部２３４とを備える。なお、図１２では、処理部２２２が記憶部２３０を備える構成を示してるが、上記に限られない。例えば、第２通信制御部２２０は、処理部２２２と記憶部２３０とを別体として備えることもできる。
【０１３５】
故障判定部２２８は、ＡＤ変換器１３０から伝達される状態情報に基づいて故障を判定し、状態情報を選択的に記憶部２３０に記録する。ここで、故障判定部２２８は、例えば、状態情報と、故障を判定するための判定用データとを用いた閾値処理を行うことによって、故障が発生したか否かを判定するが、上記に限られない。故障判定部２２８が閾値処理に用いる上記判定用データは、例えば、処理部２２２が備える記憶部２３０に記憶されるが、上記に限られない。
【０１３６】
なお、本発明の実施形態に係る故障判定部２２８は、判定結果によらずＡＤ変換器１３０から伝達される状態情報を記憶部２３０に記録することもできる。上記の場合、本発明の実施形態に係る故障判定部２２８は、判定結果を示す情報を状態情報に付加してもよい。
【０１３７】
記憶部２３０は、処理部２２２が備える記憶手段であり、例えば、状態情報や上記判定用データ、第２通信制御部２２０を識別するための固有のＩＤ情報などを記憶する。ここで、図１２では、記憶部２３０がＩＤ情報２３６と状態情報２３８を記憶している例を示している。記憶部２３０としては、例えば、ＥＥＰＲＯＭやフラッシュメモリなどの不揮発性メモリが挙げられるが、上記に限られない。
【０１３８】
送信判定部２３２は、ＡＤ変換器２２６から伝達されるデジタル信号に基づいて、インバータ２０６が送信した第２情報取得要求が受信されたか否かを判定する。そして、送信判定部２３２は、例えば、第２情報取得要求が受信されたと判定した場合に、判定結果を送信処理部２３４へ選択的に伝達する。なお、本発明の実施形態に係る送信判定部２３２が、判定処理を行うごとに判定結果を送信制御部２３４へ送信こともできることは、言うまでもない。
【０１３９】
送信処理部２３４は、送信判定部２３２から第２情報取得要求が受信されたことを示す判定結果が伝達された場合に、記憶部２３０に記憶された状態情報をＤＡ変換器１３４へ伝達する。ここで、送信処理部２３４は、記憶部２３０に記憶された状態情報に基づいて変調（デジタル変調）を行うことによって状態情報をＤＡ変換器１３４へ伝達するが、上記に限られない。
【０１４０】
また、送信処理部２３４は、上記判定結果が伝達された場合に記憶部２３０に状態情報が記憶されていないときには、例えば、電源モジュール２０８が故障していないことを示す状態報を生成してＤＡ変換器１３４へ伝達するが、上記に限られない。
【０１４１】
処理部２２２は、例えば、図１２に示す構成によって、伝達される状態情報に基づいて、故障が発生したか否かを判定し、状態情報を第３通信部１２６に選択的に送信させることができる。
【０１４２】
ＤＡ変換器１３４は、処理部２２２から伝達される状態情報をアナログ信号に変換する。ＰＡ１３６は、ＤＡ変換器１３４から伝達される状態情報を増幅する。そして、ドライバ回路１３８は、ＰＡ１３６から伝達される増幅された状態情報を、第３通信部１２６を構成するトランスの１次コイルＬ３に印加し、状態情報を送信させる。
【０１４３】
ＰＡ２２４は、第３通信部１２６を構成するトランスの１次コイルＬ３から伝達される信号を増幅する。ＡＤ変換器２２６は、ＰＡ２２４から伝達される信号（アナログ信号）をデジタル信号に変換し、処理部２２２へ伝達する。なお、処理部２２２がアナログ信号を処理可能な構成である場合には、第２通信制御部２２０は、ＡＤ変換器２２６を備えていなくてもよい。
【０１４４】
第２通信制御部２２０は、例えば、図１２に示す構成によって、状態検出部１２２から伝達される状態情報を、インバータ２０６から送信される第２情報取得要求に基づいて、選択的に状態情報を送信することができる。
【０１４５】
再度図１０を参照して、光電池装置２００における電源部２０２Ａに係る構成について説明する。逆流防止ダイオードＤ１Ａは、図５に示す逆流防止ダイオードＤ１Ａと同様に、電流の逆流を防止し、各電源部１０２の電圧の差が吸収されるように電流の大きさを自動的に調整する役目を果たす。
【０１４６】
電圧検出部１１０Ａは、図５に示す電圧検出部１１０Ａと同様に、逆流防止ダイオードＤ１Ａのアノード−カソード間の電圧を検出し、検出結果を第１通信制御部１１２Ａへ伝達する。
【０１４７】
第１通信制御部１１２Ａは、図５に示す第１通信制御部１１２Ａと同様に、電圧検出部１１０Ａから伝達される検出情報を第１通信部１１４Ａに送信させる。また、第１通信制御部１１２Ａは、図５に示す第１通信制御部１１２Ａと同様に、例えば、インバータ１０４から送信される情報（例えば、第１情報取得要求。）に基づいて、選択的に検出情報を第１通信部１１４Ａに送信させることもできる。
【０１４８】
第１通信部１１４Ａは、図５に示す第１通信部１１４Ａと同様に、トランスで構成され、検出情報を電源線ＶＬ１に印加させる。ここで、トランスを構成する１次コイルＬ１Ａは、図５に示す第１通信部１１４Ａと同様に、第１制御部１１２Ａと接続される。また、トランスを構成する２次コイルＬ２Ａは、図５に示す第１通信部１１４Ａと同様に、例えば、電源線ＶＬ１と逆流防止ダイオードＤ１Ｂのカソードとの間に接続される。なお、トランスを構成する２次コイルＬ２Ａは、上例えば、逆流防止ダイオードＤ１Ｂのアノードと電源部１０２Ｂとの間に接続されてもよい。
【０１４９】
第２通信部２０４Ａは、トランスで構成され、第１通信部１１４Ａの１次コイルＬ１Ａから伝達される信号（例えば、第２情報取得要求などを示す信号）を電源部２０２Ａへ伝達する。トランスの１次コイルＬ５Ａは、第１通信部１１４Ａの１次コイルＬ１Ａと電気的に接続され、トランスの２次コイルＬ６Ａは、逆流防止ダイオードＤ１Ａのアノードと、電源部２０２Ａとの間に接続される。
【０１５０】
第２通信部２０４Ａを備えることによって、光電池装置２００は、インバータ２０６が送信する第２情報取得要求を、電源部２０２Ａを構成する各電源モジュール２０８へ伝達することができる。
【０１５１】
第２の実施形態に係る光電池装置２００は、電源部２０２Ａに係る構成として、例えば、電源部１０２Ａ、逆流防止ダイオードＤ１Ａ、電圧検出部１１０Ａ、第１通信制御部１１２Ａ、第１通信部１１４Ａ、および第２通信部２０４Ａを備える。上記の構成を備えることによって、光電池装置２００は、第１の実施形態に係る光電池装置１００と同様に、電源部２０２Ａを構成する電源モジュール２０８の状態を示す状態情報、および／または、状態情報を含む検出情報を、電源線ＶＬ１に印加することができる。
【０１５２】
また、光電池装置２００は、第２通信部２０４Ａを備えることによって、例えば、インバータ２０６から電源線ＶＬ１を介して送信される状態情報の送信を要求する第２情報取得要求を、電源部２０２Ａを構成する電源モジュール２０８に伝達することができる。よって、光電池装置２００では、電源部２０２Ａを構成する各電源モジュール２０８が第２情報取得要求に基づいて選択的に状態情報を送信することが可能となる。
【０１５３】
なお、上記では、電源部２０２Ａに係る構成を説明したが、第１の実施形態に係る光電池装置１００と同様に、電源部２０２Ｂなど光電池装置２００が備える他の電源部に係る構成も、電源部２０２Ａに係る構成と同様の構成をとることができる。
【０１５４】
再度図１０を参照して、光電池装置２００の構成要素について説明する。インバータ２０６は、電源線ＶＬ１およびグランド線ＶＬ２と接続され、図５に示す第１の実施形態に係るインバータ１０４と基本的に同様の機能、構成を有する。
【０１５５】
また、インバータ２０６は、第１の実施形態に係るインバータ１０４の機能に加え、例えば、状態情報の送信を要求する第２情報取得要求などの情報（データ）を、電源線ＶＬ１を介して各電源部２０２の電源モジュール２０８に送信することもできる。インバータ２０６が、例えば、状態情報の送信を要求する第２情報取得要求を送信することによって、電源モジュールの故障を検出するタイミングをインバータ２０６側で制御することが可能となる。また、インバータ２０６は、例えば、電源モジュール２０８それぞれを識別するための識別情報が含まれる第２情報取得要求を送信することもできる。上記によって、インバータ２０６は、特定の電源モジュール２０８から状態情報を取得することができる。
【０１５６】
以上のように、第２の実施形態に係る光電池装置２００は、電源部２０２を構成する電源モジュール２０８が電源線ＶＬ１に状態情報を印加させることによって、状態情報に基づいて電源モジュールごとに故障を検出する。また、光電池装置２００は、各電源部２０２に接続された逆流防止ダイオードＤ１のアノード−カソード間の電圧の変化に基づく検出情報を他の電源部側に印加する。上記によって、光電池装置２００は、仮に逆流防止ダイオードＤ１に電流が流れない場合であっても、状態情報が含まれる検出情報に基づいて電源モジュール２０８の故障を検出することができる。よって、光電池装置２００は、従来の光電池装置のように、例えば、電源部を構成する電源モジュールの開放電圧や短絡電流などの測定など、故障した電源モジュールを特定するための他の手段を必要とせずに、電源モジュールごとに故障を検出することができる。したがって、光電池装置２００は、第１の実施形態に係る光電池装置１００と同様に、電源モジュールの故障検出の容易化を図ることができる。
【０１５７】
また、光電池装置２００は、電源線ＶＬ１に印加される状態情報、および／または検出情報により、各電源モジュールの様々な故障の情報を収集することができる。よって、光電池装置２００は、第１の実施形態に係る光電池装置１００と同様に、光電池装置２００（または光電池システム）の管理コストを低減することができる。
【０１５８】
さらに、光電池装置２００では、例えば、インバータ２０６が状態情報の送信を要求する第２情報取得要求を送信し、各電源モジュールが第２情報取得要求に基づいて状態情報を選択的に送信する。したがって、光電池装置２００は、電源モジュールの故障を検出するタイミングをインバータ２０６側で制御することができる。
【０１５９】
以上、本発明の実施形態として光電池装置１００、２００を挙げて説明したが、本発明の実施形態は、かかる形態に限られない。本発明の実施形態は、例えば、太陽光により発電可能な太陽電池システム（太陽電池装置）など、入力された光に基づいて光起電力を生じさせることが可能な様々なシステム、機器に適用することができる。
【０１６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【０１６１】
１０、１００、２００、１０００    光電池装置
１２Ａ、１２Ｂ、１０２Ａ、１０２Ｂ、２０２Ａ、２０２Ｂ    電源部
１４、１０４、２０６    インバータ
１６Ａ、１６Ｂ、１６Ｃ、１６Ｄ、１０６Ａ、１０６Ｂ、２０８Ａ、２０８Ｂ    電源モジュール
１８Ａ、１８Ｂ、１２０    光電池モジュール
１１０Ａ、１１０Ｂ    電圧検出部
１１２Ａ、１１２Ｂ    第１通信制御部
１１４Ａ、１１４Ｂ    第１通信部
１２２    状態検出部
１２４、２２０    第２通信制御部
１２６    第３通信部
１３０、１５０、１６２、２２６    ＡＤ変換器
１３２、１５８、２２２    処理部
１３４、１５２    ＤＡ変換器
１３６、１５４、１６０、２２４    ＰＡ
１３８、１５６    ドライバ回路
１４０、１６４、２２８    故障判定部
１４２、１７０、２３４    送信処理部
１６６、２３０    記憶部
１６８、２３２    送信判定部
１７２、２３６    ＩＤ情報
１７４、２３８    状態情報
２０４Ａ、２０４Ｂ    第２通信部
Ｄ１Ａ、Ｄ１Ｂ、Ｄ１０Ａ、Ｄ１０Ｂ    逆流防止ダイオード
Ｄ２、Ｄ１１Ａ、Ｄ１１Ｂ、Ｄ１１Ｃ、Ｄ１１Ｄ    バイパスダイオード
【図１】
2010182836.tif 000003
【図２】
2010182836.tif 000004
【図３】
2010182836.tif 000005
【図４】
2010182836.tif 000006
【図５】
2010182836.tif 000007
【図６】
2010182836.tif 000008
【図７】
2010182836.tif 000009
【図８】
2010182836.tif 000010
【図９】
2010182836.tif 000011
【図１０】
2010182836.tif 000012
【図１１】
2010182836.tif 000013
【図１２】
2010182836.tif 000014